(57)【要約】【課題】防食性を備えて排水能力が高く、防滑性に優れた階段排水構造を提供すること。【解決手段】踏み面部２１の表面に滑り止めの突起１を設けた合成樹脂製の床材２を、階段下地３の踏み面３１から蹴込み３３にかけ貼り付けた階段構造において、階段下地３の入り隅３４に、前記床材２の端部に当接して階段を横断する横溝材４を設けるとともに、階段下地３の側部に、前記床材２の側部に当接し、横溝材４と連通して階段を縦断する縦溝材５を設け、さらに、階段下地３の蹴込み３３の側部に、前記横溝材４及び縦溝材５と連通して階段を高さ方向に縦断する段溝材６を設ける。【選択図】  図１
2004197316.tif 000002
【特許請求の範囲】
【請求項１】
踏み面部の表面に滑り止めの突起を設けた床材を、階段下地の踏み面から蹴込みにかけ貼り付けた階段構造において、階段下地の入り隅に、前記床材の端部に当接して階段を横断する横溝材を設けたことを特徴とする階段排水構造。
【請求項２】
階段下地の側部に、前記床材の側部に当接し、横溝材と連通して階段を縦断する縦溝材を設けたことを特徴とする請求項１記載の階段排水構造。
【請求項３】
階段下地の蹴込みの側部に、前記横溝材又は縦溝材と連通して階段を高さ方向に縦断する段溝材を設けたことを特徴とする請求項１又は２記載の階段排水構造。
【請求項４】
踏み面部の表面に滑り止めの突起を設けた床材を、階段下地の踏み面から蹴込みにかけ貼り付けた階段構造において、階段下地の側部に、前記床材の側部に当接して階段を縦断する縦溝材を設けたことを特徴とする階段排水構造。
【請求項５】
階段下地の蹴込みの側部に、前記縦溝材と連通して階段を高さ方向に縦断する段溝材を設けたことを特徴とする請求項４記載の階段排水構造。
【請求項６】
横溝材、縦溝材、段溝材の少なくとも１つに、階段下地の蹴込み又は側壁に沿って立ち上がる側壁部を形成したことを特徴とする請求項１、２、３、４又は５記載の階段排水構造。
【請求項７】
横溝材、縦溝材、段溝材の少なくとも１つを、合成樹脂により形成したことを特徴とする請求項１、２、３、４、５又は６記載の階段排水構造。
【請求項８】
横溝材、縦溝材、段溝材の少なくとも１つを、合成樹脂を主成分とする塗膜により形成したことを特徴とする請求項１、２、３、４、５、６又は７記載の階段排水構造。
【請求項９】
横溝材、縦溝材、段溝材の少なくとも１つを、床材２と一体に形成したことを特徴とする請求項１、２、３、４、５、６、７又は８記載の階段排水構造。
【請求項１０】
横溝材、縦溝材、段溝材の少なくとも１つの表面に、親水性を付与したことを特徴とする請求項１、２、４、５、６、７、８又は９記載の階段排水構造。
【請求項１１】
横溝材、縦溝材、段溝材の少なくとも１つと床材との間隙に、耐水性に優れた接着剤を床材の厚み以下となるように充填したことを特徴とする請求項１、２、３、４、５、６、７、８、９又は１０記載の階段排水構造。
【請求項１２】
突起間の隙間部を、縦横方向に少なくとも水平面で連続するように設けたことを特徴とする請求項１、２、３、４、５、６、７、８、９、１０又は１１記載の階段排水構造。
【請求項１３】
段鼻部の突起の高さを、すべての突起の高さの平均以上に設けたことを特徴とする請求項１、２、４、５、６、７、８、９、１０、１１又は１２記載の階段排水構造。
【請求項１４】
床材の踏み面部を、その端部又は側部に行くに従い漸次低くなるように形成したことを特徴とする請求項１、２、４、５、６、７、８、９、１０、１１、１２又は１３記載の階段排水構造。
【請求項１５】
突起間の隙間部、横溝材、縦溝材、段溝材の少なくとも１つに、直線状に蓄光性を付与したことを特徴とする請求項１、２、４、５、６、７、８、９、１０、１１、１２、１３又は１４記載の階段排水構造。
【発明の詳細な説明】
【０００１】
【発明の属する技術分野】
本発明は、主に屋外に設置する階段の排水構造に関し、特に、防食性を備えて排水能力が高く、防滑性に優れた階段排水構造に関するものである。
【０００２】
【従来の技術】
従来から、屋外に設置する階段の排水構造として、例えば屋外階段の排水構造があり、この階段排水構造は、屋外階段の防護柵が、複数の防護柵材によって構成され、該防護柵材のうち少なくとも１本には、屋根部から地上まで配設されて、排水路が形成されるとともに、該排水路には、前記屋根部上の水が流入する流入口部が設けられている（例えば、特許文献１参照）。
【０００３】
また、他の階段排水構造として、左右一対のササラ桁の間に、上下方向に貫通した複数の水抜き孔が略一面に開設された平面部を有する支持部材を取り付け、この支持部材の平面部上には、骨材間に空隙部を形成した状態で結合される透水性コンクリートを板状に成型した透水板を一体的に取り付け、この透水板の上面から内部にしみ込んだ雨水を、支持部材の水抜き孔を通して下方に排水処理するようにした階段排水構造が知られている（例えば、特許文献２参照）。
【０００４】
一方、耐水性に優れる等の理由により、階段に貼り付ける合成樹脂製の床材も、マンション等の屋外階段で広く使用されている。
この床材は、踏み面部と蹴上げ部とのコーナ部が裏面側に略９０°折れ曲がり、そのコーナ部表面に肉盛り部が形成され、踏み面部表面に突起が形成され、蹴上げ部表面に一定の間隔で縦リブが形成されている（例えば、特許文献３参照）。
【０００５】
【特許文献１】
特許第２８３１５２６号公報
【特許文献２】
特開２０００−１２０２４３号公報
【特許文献３】
特許第３１８９２０３号公報
【０００６】
【発明が解決しようとする課題】
しかしながら、前記特許第２８３１５２６号公報に記載の階段排水構造は、雨水を防護柵材の幅を通して排水する構造についての発明であり、金属製の柵材の中に水を通すことから腐食の問題が残るという問題を有している。
【０００７】
また、特開２０００−１２０２４３号公報に記載の階段排水構造は、同様に、金属製支持部材の上下方向の貫通孔を通して雨水を直下に排水することから、やはり腐食の問題が残り、かつ階段下の空間を有効に利用できないという問題を有している。
【０００８】
一方、特許第３１８９２０３号公報に記載の床材は、主に屋外階段に貼り付けて使用する床材についての発明であり、床材に設けた突起で雨水を下段方向に排水させる仕組みを有してはいるが、上段に比べ下段での水量が著しく多くなり、排水能力の観点で問題を残している。
【０００９】
本発明は、上記従来の階段排水構造が有する問題点に鑑み、防食性を備えて排水能力が高く、防滑性に優れた階段排水構造を提供することを目的とする。
【００１０】
【課題を解決するための手段】
上記目的を達成するため、本第１発明の階段排水構造は、踏み面部の表面に滑り止めの突起を設けた床材を、階段下地の踏み面から蹴込みにかけ貼り付けた階段構造において、階段下地の入り隅に、前記床材の端部に当接して階段を横断する横溝材を設けたことを特徴とする。
【００１１】
この階段排水構造は、階段下地の入り隅に、前記床材の端部に当接して階段を横断する横溝材を設けることから、床材の踏み面部の突起間に溜まる水を横溝材から排水することができ、これにより、突起の水没を防止し、階段の昇降時の防滑性を向上させることができる。
【００１２】
この場合において、階段下地の側部に、前記床材の側部に当接し、横溝材と連通して階段を縦断する縦溝材を設けることができる。
【００１３】
これにより、横溝材に排水された水を縦溝材を通じて地上部まで排出し、上の階段から下の階段への水の流出を効果的に防止することができる。
【００１４】
また、階段下地の蹴込みの側部に、前記横溝材又は縦溝材と連通して階段を高さ方向に縦断する段溝材を設けることができる。
【００１５】
これにより、縦溝材に排水された水を段溝材を通じて地上部まで排出し、上の階段から下の階段への水の流出を効果的に防止することができる。
【００１６】
一方、本第２発明の階段排水構造は、踏み面部の表面に滑り止めの突起を設けた床材を、階段下地の踏み面から蹴込みにかけ貼り付けた階段構造において、階段下地の側部に、前記床材の側部に当接して階段を縦断する縦溝材を設けたことを特徴とする。
【００１７】
この階段排水構造は、階段下地の側部に、前記床材の側部に当接して階段を縦断する縦溝材を設けることから、床材の踏み面部の突起間に溜まる水を縦溝材から排水することができ、これにより、突起の水没を防止し、階段の昇降時の防滑性を向上させることができる。
【００１８】
この場合において、階段下地の蹴込みの側部に、前記縦溝材と連通して階段を高さ方向に縦断する段溝材を設けることができる。
【００１９】
これにより、縦溝材に排水された水を段溝材を通じて地上部まで排出し、上の階段から下の階段への水の流出を効果的に防止することができる。
【００２０】
また、横溝材、縦溝材、段溝材の少なくとも１つに、階段下地の蹴込み又は側壁に沿って立ち上がる側壁部を形成することができる。
【００２１】
これにより、各溝材から階段下地への水漏れがより減少し、階段下地の各部で腐食をより防止することができる。
【００２２】
また、横溝材、縦溝材、段溝材の少なくとも１つを、合成樹脂により形成することができる。
【００２３】
これにより、階段下地の略全表面が合成樹脂により覆われることから、階段下地の水による腐食を大幅に減少させることができる。
【００２４】
また、横溝材、縦溝材、段溝材の少なくとも１つを、合成樹脂を主成分とする塗膜により形成することができる。
【００２５】
これにより、階段下地の略全表面が合成樹脂により覆われることから、階段下地の水による腐食を大幅に減少させることができる。
【００２６】
また、横溝材、縦溝材、段溝材の少なくとも１つを、床材２と一体に形成することができる。
【００２７】
これにより、階段下地の腐食を防止するとともに、床材を階段下地に貼り付ける際に、各溝材を階段下地に同時にしかも隙間なく貼り付けることができ、作業効率を著しく向上させることができる。
【００２８】
また、横溝材、縦溝材、段溝材の少なくとも１つの表面に、親水性を付与することができる。
【００２９】
これにより、各溝材に流れ込んだ水をより速やかに排水することができる。
【００３０】
また、横溝材、縦溝材、段溝材の少なくとも１つと床材との間隙に、耐水性に優れた接着剤を床材の厚み以下となるように充填することができる。
【００３１】
これにより、各溝材と床材及び階段下地がもれなく接着され、階段下地の腐食をさらに防止し、かつ床材表面の水の滞留を防止することができる。
【００３２】
また、突起間の隙間部を、縦横方向に少なくとも水平面で連続するように設けることができる。
【００３３】
これにより、床材の表面の水を縦横方向いずれかに設けられている各溝材に速やかに流入させることができる。
【００３４】
また、段鼻部の突起の高さを、すべての突起の高さの平均以上に設けることができる。
【００３５】
これにより、段鼻部の突起が水没する可能性を減じ、防滑機能をより高めて、昇降時の安全性を大きく向上させることができる。
【００３６】
また、床材の踏み面部を、その端部又は側部に行くに従い漸次低くなるように形成することができる。
【００３７】
これにより、床材の表面に溜まる水は、縦横方向いずれかの端部に設けられている各溝材により速やかに流れ込むことになる。
【００３８】
また、突起間の隙間部、横溝材、縦溝材、段溝材の少なくとも１つに、直線状に蓄光性を付与することができる。
【００３９】
これにより、夜間の昇降時において階段の格段の視認がより可能になり、踏み外し等のトラブルが減少し、階段の安全性が向上する。また、隙間部が摩減されることは極めて稀であることから蓄光性は長期に亘って維持されることになる。
【００４０】
【発明の実施の形態】
以下、本発明の階段排水構造の実施の形態を図面に基づいて説明する。
【００４１】
図１〜図２に、本発明の階段排水構造の一実施例を示す。
この階段排水構造は、踏み面部２１の表面に滑り止めの突起１を設けた合成樹脂製の床材２を、階段下地３の踏み面３１から蹴込み３３にかけ貼り付けるもので、階段下地３の入り隅３４に、前記床材２の端部に当接して階段を横断する横溝材４を設けるとともに、階段下地３の側部に、前記床材２の側部に当接し、横溝材４と連通して階段を縦断する縦溝材５を設け、さらに、階段下地３の蹴込み３３の側部に、前記横溝材４及び縦溝材５と連通して階段を高さ方向に縦断する段溝材６を設けている。
【００４２】
横溝材４は、階段下地３の入り隅３４に沿い、側壁部４０を床材２の端部に当接させて、踏み面３１を横断するように形成されている。
また、この横溝材４は、その厚みＭ１を床材２の端部の厚みＬ未満で設けられている。
【００４３】
縦溝材５は、前記横溝材４の一端と連通するように、階段下地３の蹴込み３３から段鼻３２にかけて、階段を縦断するように形成されている。
また、この縦溝材５は、側壁部５０を床材２の側端部と階段下地３の側壁３０に当接させて形成されており、階段の全段に亘り設けられている。
この場合、縦溝材５は、その厚みＭ２が横溝材４の厚みＭ１未満で設けられている。
【００４４】
段溝材６は、階段下地３の側壁３０と床材２との間で、階段下地３の蹴込み３３に、横溝材４と縦溝材５とにそれぞれ連通するように形成されている。
また、この段溝材６は、前記縦溝材５の厚みＭ２と同等な厚みＭ３で設けられている。
【００４５】
そして、本実施例では、段鼻部２２の突起１の高さＨは、図２（ｂ）に示すように、すべての突起１の高さＨの平均以上となっている。
このような床材２では、段鼻部２２の突起１が水没する可能性を特に減少させ、防滑機能がより高まることで、昇降時の安全性を大きく向上させることができる。
【００４６】
図３（ａ）〜（ｃ）に、本実施例の横溝材４、縦溝材５、段溝材６の断面形状を示す。
各溝材４、５、６はそれぞれの長さを通してその両端に側壁部４０を設けており、図３（ａ）〜（ｃ）に示すように、床材２の厚みＬ、横溝材４の厚みＭ１、縦溝材５の厚みＭ２、段溝材６の厚みＭ３は、床材２と各横溝材４、縦溝材５、段溝材６が互いに当接するそれぞれ各溝材の端部の厚みを示すものであり、この場合、床材２の端部に当接する各溝材４、５、６の側壁部４０、５０、６０がそれぞれの厚みＭ１、Ｍ２、Ｍ３となる。
【００４７】
また、図１は、横溝材４、縦溝材５及び段溝材６をすべて備える階段排水構造を示しているが、本発明の階段排水構造では、横溝材４だけを設けたり、縦溝材５だけを設けたりしてもよく、また、横溝材４と縦溝材５の両方を設けたり、横溝材４と縦溝材５と段溝材６のすべてを設けることも可能である。
この場合、床材２、横溝材４、縦溝材５及び段溝材６の厚みの関係は、それぞれＬ＞Ｍ１、Ｌ＞Ｍ２、Ｌ＞Ｍ１＞Ｍ２、Ｌ≧Ｍ３となるが、横溝材４と縦溝材５と段溝材６とを設ける場合は、Ｌ＞Ｍ１＞Ｍ２≧Ｍ３が好ましい関係になる。
【００４８】
また、図４（ａ）の部分拡大断面図は、横溝材４の他の実施例を示すもので、階段下地３の入り隅３４側において、横溝材４の側壁部４０を、上段の床材２の蹴込み部２３に当接するまでその長さを通して高く設けている。
なお、図示しないが、縦溝材５や段溝材６にもその長さを通して階段下地３の側壁３０側に同様な側壁部５０、６０を設けることができる。
【００４９】
また、図４（ｂ）は、断面が矩形状の横溝材４、縦溝材５又は段溝材６を断面形状を示し、図４（ｃ）は、断面が幅方向中央部に向かい曲面状に窪んでいる横溝材４、縦溝材５又は段溝材６の断面形状を示している。
このように、横溝材４、縦溝材５又は段溝材６の断面形状は、階段下地と床材の一部を利用して排水路を形成できる形状であればよく、種々の断面形状も採用することができる。
【００５０】
一般的な床材２を形成する合成樹脂には、その成形性の良さから熱可塑性樹脂が好適に使用されており、特に汎用性の高い、ビニル系の塩化ビニルや酢酸ビニル等、オレフィン系のポリエチレン、ポリプロピレン等が多く、また、これら合成樹脂の混合体、これらの合成樹脂とエチレン−酢酸ビニル等の共重合体類やエラストマ−類や変性ポリオレフィン類等のとの混合物等も使用することができる。
【００５１】
また、横溝材４や縦溝材５、段溝材６を形成する材料として、金属やゴムや合成樹脂等が使用できるが、腐食性や耐水性等の観点から、上記と同様な合成樹脂類が好適に使用できることになる。
【００５２】
このように、本実施例の階段排水構造は、床材２の貼り付けられていない階段下地３の余部を自由に選択して横溝材４、縦溝材５、段溝材６を設けることができ、階段排水構造の表面に溜まる水をその突起１間の間隙部９から流出させ、次いで、横溝材４、縦溝材５、段溝材６等を順次流し、最終的に予め地上に設けられている側溝１０に排出することができる。
また、階段下地３の余部からの腐食を防止し、ひいては、階段下地３の腐食をより長期に亘って防止することができ、さらに、合成樹脂は自由に着色できることから、床材２の意匠性と相俟って階段構造の意匠性を著しく高めることが可能になる。
【００５３】
また、本発明の階段排水構造では、横溝材４、縦溝材５及び段溝材６が、合成樹脂を主成分とする塗膜であってもよく、この場合、合成樹脂類は上記樹脂類の他に、アクリル樹脂系、ポリウレタン系樹脂、エポキシ樹脂系、シリコーン系樹脂等が好適に使用できることになる。
この場合、合成樹脂を主成分とする塗膜も同様に耐水性や耐食性で優れることから、前記合成樹脂製の溝材と同様な効果が得られることになる。
【００５４】
一方、図５（ａ）に示すように、本発明の階段排水構造は、横溝材４や縦溝材５、段溝材６と、床材２及び階段下地３とが隣接する各間隙７に、耐水性に優れた接着剤８（充填厚み：Ｎ）を床材２の厚みＬ以下となるよう充填し、該接着剤８を介して溝材４や縦溝材５、段溝材６と、床材２及び階段下地３とを当接させることができる。
【００５５】
上記のような接着剤８には、アクリル樹脂系、ポリウレタン系、エポキシ樹脂系、シリコーン系のものが適宜その粘度を調整して好適に使用することができ、なかでも１成分型ポリウレタン系の接着剤８は、空気中の水分で硬化することから最適に使用できることになる。
また、このような形態においても、接着剤８が耐水性に優れていることで、階段下地３の腐食を防止することができる。
【００５６】
また、図５（ｂ）は、横溝材４を、床材２の端部に一体に形成した実施例を示すものである。
また、図示省略するが、階段排水構造は、種々の断面形状の横溝材４や縦溝材５、段溝材６を、個々に床材２に一体して設けることができ、そのような場合は、別途横溝材４や縦溝材５、段溝材６を設置する必要がなくなり、その作業は格段に楽なものになる。
このような形態は、床材２と各溝材４、５、６との接着や融着でも可能であるが、床材２の製造時に床材２と一体に設ければ、より強く一体化されることになる。
【００５７】
また、本発明の階段排水構造では、床材２表面の突起１間の隙間部９を、縦横方向で互いに、少なくとも水平面で連続するよう設けることができ、このような形態は、床材２の表面に溜まる水を床材２のいずれかの端部に流出させ、各溝材に床材２の表面の水をより速く排出させることになる。
【００５８】
さらに、床材２表面の突起１を縦横方向にそれぞれ行列をなすように設けることにより、床材２の表面に溜まる水をいずれかの床材２の端部、すなわち各溝材により速く排出させることになる。
【００５９】
また、図５（ｃ）（ｄ）は、床材２の踏み面部２１のそれぞれ横方向と縦方向の厚みの状態を示す断面図であり、床材２の各部において、少なくともその１つの端部に向かい、床材２の厚みＬが薄くなるように、又は突起１の高さＨが低くなるように床材２を形成している。
このように形成された階段排水構造は、床材２の表面に溜まる水を床材２の縦横方向いずれかの端部に設けられている各溝材に、より速やかに流出させることができる。
【００６０】
一般的に、屋外階段においては、階段下地３にコンクリートや鋼材が使用されている場合が多く、コンクリートや鋼材の雨水による腐食や滑りが心配されるが、屋外階段に本発明の階段排水構造を適用することにより、雨水による階段下地３の滑り、汚れ及び腐食を長期に亘って防止することができる。
また、図５（ｃ）又は（ｄ）に示すように、床材２を傾斜するように形成すれば、踏み面部２１と段鼻部２２の表面の突起１が大雨時においても水没することはなく、階段の防滑性は著しく高まり、昇降時の安全性は大幅に解消されることになる。
【００６１】
また、図示省略するが、本実施例の階段排水構造において、その横溝材４や縦溝材５、段溝材６に親水性を付与することにより、流速を高めて排水機能をより高めることになる。
【００６２】
このような親水性を付与する手段として、界面活性剤（親水性物質）を、横溝４や縦溝５が合成樹脂製の場合は直接練り込むことができ、他に界面活性剤を塗料に分散しこれを溝面に塗布する等、また、横溝４や縦溝５を親水性樹脂で形成することもでき、親水性樹脂で薄いシートを形成しこれを溝面に貼着する等があり、適宜最良の手段を選択すればよいことになる。
【００６３】
界面活性剤としては、具体的に多価アルコールと高級脂肪酸類とから誘導された多価アルコール部分エステルが好適に使用でき、また、親水性樹脂としては、エチレンビニルアルコールやポリビニルアルコール等の水酸基を有する合成樹脂が好適に使用できることになる。
【００６４】
同様に図示省略するが、本実施例の階段排水構造において、突起１間の隙間部９の少なくとも一部に蓄光性を付与することにより、夜間の昇降時において階段の格段の視認がより可能になり、踏み外し等のトラブルが減少し、階段の安全性が向上する。
また、隙間部９が摩減することは極めて稀であることから、蓄光性は長期に亘って維持されることになる。
【００６５】
このような蓄光性を付与する手段としては、蓄光剤８（例えば、根本特殊化学株式会社製、商品名「Ｎ−夜光」や商品名「ピカリコ」等）を、床材２表面層突起１間の隙間６の少なくとも一部に直接練り込んだり、床材２突起１間の隙間６の少なくとも一部にこれを塗料化して塗布する等あるが、これらの蓄光剤８を合成樹脂製の薄いテープに分散させ、これを床材２突起１間の隙間６の少なくとも一部に貼着することが、最も合理的な手段となる。
【００６６】
以上、本発明の実施例を説明したが、本発明の階段排水構造は、この実施例の記載に限定されるものではなく、その趣旨を逸脱しない範囲において適宜に変更することが可能である。
【００６７】
【発明の効果】
本第１発明の階段排水構造によれば、階段下地の入り隅に、前記床材の端部に当接して階段を横断する横溝材を設けることから、床材の踏み面部の突起間に溜まる水を横溝材から排水することができ、これにより、突起の水没を防止し、階段の昇降時の防滑性を向上させることができる。
【００６８】
この場合、階段下地の側部に、前記床材の側部に当接し、横溝材と連通して階段を縦断する縦溝材を設けることにより、横溝材に排水された水を縦溝材を通じて地上部まで排出し、上の階段から下の階段への水の流出を効果的に防止することができる。
【００６９】
また、階段下地の蹴込みの側部に、前記横溝材又は縦溝材と連通して階段を高さ方向に縦断する段溝材を設けることにより、縦溝材に排水された水を段溝材を通じて地上部まで排出し、上の階段から下の階段への水の流出を効果的に防止することができる。
【００７０】
一方、本第２発明の階段排水構造によれば、階段下地の側部に、前記床材の側部に当接して階段を縦断する縦溝材を設けることから、床材の踏み面部の突起間に溜まる水を縦溝材から排水することができ、これにより、突起の水没を防止し、階段の昇降時の防滑性を向上させることができる。
【００７１】
この場合、階段下地の蹴込みの側部に、前記縦溝材と連通して階段を高さ方向に縦断する段溝材を設けることにより、縦溝材に排水された水を段溝材を通じて地上部まで排出し、上の階段から下の階段への水の流出を効果的に防止することができる。
【００７２】
また、横溝材、縦溝材、段溝材の少なくとも１つに、階段下地の蹴込み又は側壁に沿って立ち上がる側壁部を形成することにより、各溝材から階段下地への水漏れがより減少し、階段下地の各部で腐食をより防止することができる。
【００７３】
また、横溝材、縦溝材、段溝材の少なくとも１つを、合成樹脂で形成することにより、階段下地の略全表面が合成樹脂により覆われることから、階段下地の水による腐食を大幅に減少させることができる。
【００７４】
また、横溝材、縦溝材、段溝材の少なくとも１つを、合成樹脂を主成分とする塗膜で形成することにより、階段下地の略全表面が合成樹脂により覆われることから、階段下地の水による腐食を大幅に減少させることができる。
【００７５】
また、横溝材、縦溝材、段溝材の少なくとも１つを、床材２と一体に形成することにより、階段下地の腐食を防止するとともに、床材を階段下地に貼り付ける際に、各溝材を階段下地に同時にしかも隙間なく貼り付けることができ、作業効率を著しく向上させることができる。
【００７６】
また、横溝材、縦溝材、段溝材の少なくとも１つの表面に、親水性を付与することにより、各溝材に流れ込んだ水をより速やかに排水することができる。
【００７７】
また、横溝材、縦溝材、段溝材の少なくとも１つと床材との間隙に、耐水性に優れた接着剤を床材の厚み以下となるように充填することにより、各溝材と床材及び階段下地がもれなく接着され、階段下地の腐食をさらに防止し、かつ床材表面の水の滞留を防止することができる。
【００７８】
また、突起間の隙間部を、縦横方向に少なくとも水平面で連続するように設けることにより、床材の表面の水を縦横方向いずれかに設けられている各溝材に速やかに流入させることができる。
【００７９】
また、段鼻部の突起の高さを、すべての突起の高さの平均以上に設けることにより、段鼻部の突起が水没する可能性を減じ、防滑機能をより高めて、昇降時の安全性を大きく向上させることができる。
【００８０】
また、床材の踏み面部を、その端部又は側部に行くに従い漸次低くなるように形成することにより、床材の表面に溜まる水は、縦横方向いずれかの端部に設けられている各溝材により速やかに流れ込むことになる。
【００８１】
また、突起間の隙間部、横溝材、縦溝材、段溝材の少なくとも１つに、直線状に蓄光性を付与することにより、夜間の昇降時において階段の格段の視認がより可能になり、踏み外し等のトラブルが減少し、階段の安全性が向上する。また、隙間部が摩減されることは極めて稀であることから蓄光性は長期に亘って維持されることになる。
【図面の簡単な説明】
【図１】本発明の階段排水構造の一実施例を示す斜視図である。
【図２】同実施例の階段排水構造を示し、（ａ）は床材の部分拡大斜視図、（ｂ）は階段排水構造の断面図、（ｃ）は同正面図である。
【図３】同実施例の階段排水構造を示し、（ａ）は横溝材の拡大断面図、（ｂ）は縦溝材の拡大断面図、（ｃ）は段溝材の拡大断面図である。
【図４】（ａ）〜（ｃ）は、横溝材、縦溝材又は段溝材の例を示す拡大断面図である。
【図５】（ａ）〜（ｂ）は、横溝材、縦溝材又は段溝材の例を示し、（ｃ）〜（ｄ）は床材に傾斜を設けた例を示す断面図である。
【符号の説明】
１    突起
２    床材
２１  踏み面部
２２  段鼻部
２３  蹴込み部
３    階段下地
３０  側壁
３１  踏み面
３２  段鼻
３３  蹴込み
３４  入り隅
４    横溝材
４０  横溝材の側壁部
５    縦溝材
５０  縦溝材の側壁部
６    段溝材
６０  段溝材の側壁部
７    間隙
８    接着剤
９    突起間の隙間部
１０  側溝
Ｈ    突起の高さ
Ｌ    床材の厚み
Ｍ１  横溝材の厚み
Ｍ２  縦溝材の厚み
Ｍ３  段溝材の厚み
Ｎ    接着剤の充填厚み
【図１】
2004197316.tif 000003
【図２】
2004197316.tif 000004
【図３】
2004197316.tif 000005
【図４】
2004197316.tif 000006
【図５】
2004197316.tif 000007